(57)【要約】【課題】本発明は、ユーザが所望する機能をユーザの煩雑な作業なしに容易にキー操作可能な携帯型電子機器を提供する。【解決手段】パソコン本体１、キーボード２、ブック型カバー３を有するパソコンＡで、パソコン本体１には所定の機能を割り当てた複数の操作ボタン１３ａ〜１３ｄが形成され、キーボード２にはパソコン本体１の操作ボタン１３ａ〜１３ｄと同機能を有する複数の特定キー２３ａ〜２３ｄが形成されており、携帯に適したパソコン本体１のみの使用状態ではユーザはパソコン本体１の操作ボタン１３ａ〜１３ｄを押下して所望の機能を実行し、パソコン本体１にキーボード２を接続された状態ではキー操作中のキーボード２から手を離すことなくキーボード２上の特定キー２３ａ〜２３ｄを押下して所望の機能を実行する。【選択図】  図１
2004178242.tif 000002
【特許請求の範囲】
【請求項１】
情報を表示すると共に情報入力可能な表示画面を有し、単体で使用可能な機器本体と、
この機器本体に設けられ、予め設定された第１のコード情報を出力する第１の操作部と、
前記機器本体とは別体に形成され、前記機器本体に接続されることにより前記機器本体に対して情報を入力する複数のキーが配列されたキーボードと、
このキーボードに設けられ、前記第１のコード情報と同じあるいは異なる第２のコード情報を出力する第２の操作部と、
前記第１の操作部から前記第１のコード情報が出力された際、または前記第２の操作部から前記第２のコード情報が出力された際、同じ機能を実行するよう制御する制御部と、
を有することを特徴とする携帯型電子機器。
【請求項２】
情報を表示すると共に情報入力可能な表示画面を有し、単体で使用可能な機器本体と、
この機器本体に設けられ、予め設定されたコード情報を出力するキーを複数有する第１の操作部と、
前記機器本体とは別体に形成され、前記機器本体に接続されることにより前記機器本体に対して情報を入力する複数のキーが配列されたキーボードと、
このキーボードに設けられ、前記コード情報と同じあるいは異なるコード情報を出力するキーを複数有する第２の操作部と、
この第２の操作部の複数のキーの夫々に対して前記第１の操作部の複数のキーの中の夫々１つのキーと同じ機能を実行するよう登録する登録手段と、
を有することを特徴とする携帯型電子機器。
【請求項３】
前記制御部は、前記第１の操作部と前記第２の操作部は同じ操作方法で操作されるよう設定されており、前記第１及び第２の操作部における同じ操作の元で同じ機能を実行するよう制御することを特徴とする請求項１記載の携帯型電子機器。
【請求項４】
連結部を介して開閉可能に連結された第１の表紙部および第２の表紙部を有し、且つ前記第１の表紙部の内面部に前記機器本体が取り付けられ、前記第２の表紙部の内面部に前記キーボードが取り付けられるカバー部を有することを特徴とする請求項１乃至請求項３のいずれか記載の携帯型電子機器。
【請求項５】
前記第２の操作部は、前記キーボードに設けられた前記複数のキーと同形状に形成され、前記キーボードのキー配列内に配列されていることを特徴とする請求項１乃至請求項４のいずれか記載の携帯型電子機器。
【請求項６】
前記第１の操作部の複数のキーと、前記第２の操作部の複数のキーは同数設けられていることを特徴とする請求項２記載の携帯型電子機器。
【発明の詳細な説明】
【０００１】
【発明の属する技術分野】
本発明は、上面部に表示画面が設けられた機器本体を備え、且つこの機器本体をブック型のカバーで外装する携帯型電子機器に関する。
【０００２】
【従来の技術】
近年、携帯型電子機器の発達は目覚しいものがあり、インターネット接続機能やメール通信機能等、多種多様な機能を持つ電子手帳等も広く普及してきている。
【０００３】
このような携帯型電子機器として、例えば特開２０００−５６９０６号公報には、キーボードからなる第１入力装置に加え、表示装置の表示面と同一面でかつ近傍に、特定の機能を有する第２の入力装置を設けた電子機器の構造が開示されている。
【０００４】
【特許文献１】
特開２０００−５６９０６号公報（第２図乃至第４図）
【０００５】
【発明が解決しようとする課題】
しかしながら、従来の装置では、第１の入力装置と第２の入力装置とでは異なる機能が割り振られているため、ユーザが第１の入力装置の操作中に第２の入力装置に割り振られた機能を実行したい場合には、第１の入力装置から手を離し、第２の入力装置から入力しなければならず、ユーザに対して煩雑な作業が強いられるという問題がある。
【０００６】
本発明は、以上の点に鑑みなされたもので、ユーザが所望する機能をユーザの煩雑な作業なしに容易にキー操作可能な携帯型電子機器を提供することを目的とする。
【０００７】
【課題を解決するための手段】
上記目的を達成するために、本発明の携帯型電子機器は、情報を表示すると共に情報入力可能な表示画面を有し、単体で使用可能な機器本体と、この機器本体に設けられ、予め設定された第１のコード情報を出力する第１の操作部と、前記機器本体とは別体に形成され、前記機器本体に接続されることにより前記機器本体に対して情報を入力する複数のキーが配列されたキーボードと、このキーボードに設けられ、前記第１のコード情報と同じあるいは異なる第２のコード情報を出力する第２の操作部と、前記第１の操作部から前記第１のコード情報が出力された際、または前記第２の操作部から前記第２のコード情報が出力された際、同じ機能を実行するよう制御する制御部と、を有することを特徴とする。
【０００８】
上記目的を達成するために、本発明の携帯型電子機器は、情報を表示すると共に情報入力可能な表示画面を有し、単体で使用可能な機器本体と、この機器本体に設けられ、予め設定されたコード情報を出力するキーを複数有する第１の操作部と、前記機器本体とは別体に形成され、前記機器本体に接続されることにより前記機器本体に対して情報を入力する複数のキーが配列されたキーボードと、このキーボードに設けられ、前記コード情報と同じあるいは異なるコード情報を出力するキーを複数有する第２の操作部と、この第２の操作部の複数のキーの夫々に対して前記第１の操作部の複数のキーの中の夫々１つのキーと同じ機能を実行するよう登録する登録手段と、を有することを特徴とする。
【０００９】
【発明の実施の形態】
以下、本発明に係る実施の形態について図面を参照して詳細に説明する。本実施の形態は、一例としてパソコンに適用したもので、図１乃至図４を用いて第１の実施例を説明する。
【００１０】
図１は、本発明の一実施の形態としてのパソコンＡにおいてブック型カバーを開いた状態を示す図であり、図１（ａ）は平面図、図１（ｂ）は側面図である。また、図２は、パソコンＡにおいて後述するキーボード２を取り外した状態でブック型カバーを開いた状態を示す図であり、図２（ａ）は平面図、図２（ｂ）は側面図である。図３は、パソコンＡにおいてキーボード２を取り外した状態でブック型カバー３を閉じた状態を示す図であり、図３（ａ）は平面図、図３（ｂ）は側面図である。
【００１１】
図１に示すパソコンＡは、パソコン本体１、キーボード２が設けられたブック型カバー３、ペンホルダー４、及びペン５とから構成されている。
【００１２】
パソコン本体１は、薄型の直方体をなす箱体からなるもので、その内部には図示しないがパソコンにとって必要な電子回路を構成する電子部品や回路パターンを搭載した回路基板、後述する表示画面とタブレット装置とを一体に設けた表示一体型の液晶表示ディスプレイ（ＬＣＤ）、ＰＣカードを装填するスロッタ、メモリカードを装填する装填部等が設けられている。
【００１３】
パソコン本体１の上面部には情報を表示する表示手段としての表示画面１１が設けられている。この表示画面１１はパソコン本体１の上面部において広い面積を占める四角形をなすもので、前記した液晶表示ディスプレイによって構成されている。
【００１４】
パソコン本体１の一方の側面部にはカーソルキー１２、複数の操作ボタン１３、及びスピーカー１４が設けられている。本実施例では、複数の操作ボタン１３は、第１〜第４の操作ボタン１３ａ、１３ｂ、１３ｃ、１３ｄから構成されている。
【００１５】
第１〜第４の操作ボタン１３ａ、１３ｂ、１３ｃ、１３ｄは、押下されるとコードが出力される。各々のコードには、プログラムによって異なる機能が割り当てられており、この出力されたコードに対応したプログラムに従って、パソコン本体は所定の動作をする。
【００１６】
例えば、本実施例においては、第１の操作ボタン１３ａには、表示画面１１の輝度を調整する機能が割り当てられており、第１の操作ボタン１３ａが押下される毎に発生する第１のコードに基づいて輝度調整が実行される。その結果、パソコン本体１においては、第１の操作ボタン１３ａが押される毎に予め設定された順番で、表示画面１１の輝度が段階的に変更されるようになっている。
【００１７】
第２の操作ボタン１３ｂには、ソフトウェアキーボードのモード切替機能が割り当てられており、第２の操作ボタン１３ｂが押下される毎に発生する第２のコードに基づいてソフトウェアキーボードのモード切替が実行される。その結果、パソコン本体１においては、第２の操作ボタン１３ｂが押される毎に予め設定された順番で、ソフトウェアキーボードのモードが切替えられるようになっている。
【００１８】
第３の操作ボタン１３ｃには、ＯＳの切替え機能が割り当てられており、第３の操作ボタン１３ｃが押下される毎に発生する第３のコードに基づいてＯＳの切替えが実行される。その結果、パソコン本体１においては、第３の操作ボタン１３ｃが押される毎に搭載されている複数のＯＳが予め設定された順番で切替えられるようになっている。
【００１９】
第４の操作ボタン１３ｄには、表示画面１１に複数のウィンドウが表示されている場合に最前面に表示するウィンドウを切替える機能が割り当てられており、第４の操作ボタン１３ｄが押下される毎に発生する第４のコードに基づいてウィンドウ切替えが実行される。その結果、パソコン本体１においては、第４の操作ボタン１３ｄが押される毎に予め設定された順番で最前面に表示されるウィンドウが切替えられるようになっている。
【００２０】
従って、ユーザが第１乃至第４の操作ボタン１３ａ〜１３ｄに割り当てられた機能を実行する場合には、パソコン本体１の表示画面１１に隣接して設けられた第１乃至第４の操作ボタン１３ａ〜１３ｄの中の対応する操作ボタンを押下することにより、ユーザが所望する機能が実行される。
【００２１】
また、図示しないが、他方の側面部にはメモリカード出入口およびＰＣカード出入口が、後面部には電源スイッチ２１７が設けられている。
【００２２】
キーボード２は、パソコン本体１と同じ大きさを有する直方体の箱体をなすもので、上面部には多数のキー２１が格子状に並べて設けられている。これらキー２１は打鍵操作により情報を入力するものである。
【００２３】
キーボード２の内部には、図示しないが、各キー２１毎にこれらキー２１の打鍵操作によって電気信号を発する接点が設けられている。このキーボード２は、信号線２２によってパソコン本体１の回路基板と接続される。
【００２４】
本実施例では、キーボード２には、ファンクションキー群２４と、英数字キー及び特殊記号キー２５と、テンキー及びカーソルキー２６と、更にパソコン本体１に設けられた複数の操作ボタン１３に対応した複数の特定キー群２３とからなる複数のキー２１が配列されている。
【００２５】
これら特定キー群２３は、本実施例では第１〜第４の特定キー２３ａ、２３ｂ、２３ｃ、２３ｄから構成されており、複数の操作ボタン１３の夫々と同じ操作方法が設定されている。
【００２６】
例えば、第１の特定キー２３ａは、第１の操作ボタン１３ａと同じ機能が割り当てられるべく、第１の特定キー２３ａが押下された際に生成されるコードは第１の操作ボタン１３ａと同じ動作をパソコン本体１に指示する。
【００２７】
第２の特定キー２３ｂは、第２の操作ボタン１３ｂと同じ機能が割り当てられるべく、第２の特定キー２３ｂが押下された際に生成されるコードは第２の操作ボタン１３ｂと同じ動作をパソコン本体１に指示する。
【００２８】
第３の特定キー２３ｃは、第３の操作ボタン１３ｃと同じ機能が割り当てられるべく、第３の特定キー２３ｃが押下された際に生成されるコードは第３の操作ボタン１３ｃと同じ動作をパソコン本体１に指示する。
【００２９】
第４の特定キー２３ｄは、第４の操作ボタン１３ｄと同じ機能が割り当てられるべく、第４の特定キー２３ｄが押下された際に生成されるコードは第４の操作ボタン１３ｄと同じ動作をパソコン本体１に指示する。
【００３０】
尚、第１乃至第４の特定キー２３ａ〜２３ｄが押された際に生成されるコードは、第１乃至第４の操作ボタン１３ａ〜１３ｄの第１乃至第４のコードと同じでも異なっていても良く、第１乃至第４のコードと同じ機能が割り当てられていれば良い。本実施例では、第１乃至第４の特定キー２３ａ〜２３ｄが押された際に生成されるコードは、第１乃至第４の操作ボタン１３ａ〜１３ｄの第１乃至第４のコードと同じコードである場合を取り上げて以下説明する。
【００３１】
従って、第１の特定キー２３ａには、第１の操作ボタン１３ａと同様に表示画面１１の輝度を調整する機能が割り当てられており、第１の特定キー２３ａが押下される毎に発生し、信号線２２を介してパソコン本体１へ出力する第１のコードに基づいて輝度調整が実行される。その結果、パソコン本体１においては、第１の特定キー２３ａが押される毎に予め設定された順番で、表示画面１１の輝度が段階的に変更されるようになっている。
【００３２】
第２の特定キー２３ｂには、第２の操作ボタン１３ｂと同様にソフトウェアキーボードのモード切替機能が割り当てられており、第２の特定キー２３ｂが押下される毎に発生し、信号線２２を介してパソコン本体１へ出力する第２のコードに基づいてソフトウェアキーボードのモード切替が実行される。その結果、パソコン本体１においては、第２の特定キー２３ｂが押される毎に予め設定された順番で、ソフトウェアキーボードのモードが切替えられるようになっている。
【００３３】
第３の特定キー２３ｃには、第３の操作ボタン１３ｃと同様にＯＳの切替え機能が割り当てられており、第３の特定キー２３ｃが押下される毎に発生し、信号線２２を介してパソコン本体１へ出力する第３のコードに基づいてＯＳの切替えが実行される。その結果、パソコン本体１においては、第３の特定キー２３ｃが押される毎に搭載されている複数のＯＳを予め設定された順番で切替えるようになっている。
【００３４】
第４の特定キー２３ｄには、第４の操作ボタン１３ｄと同様に、表示画面１１に複数のウィンドウが表示されている場合に最前面に表示するウィンドウを切替える機能が割り当てられており、第４の特定キー２３ｄが押下される毎に発生し、信号線２２を介してパソコン本体へ出力する第４のコードに基づいてウィンドウ切替えが実行される。その結果、パソコン本体１においては、第４の特定キー２３ｄが押される毎に予め設定された順番で最前面に表示されるウィンドウが切替えられるようになっている。
【００３５】
次に、ブック型カバー３は、パソコン本体１を覆う第１の表紙部３１と、キーボード２を覆う第２の表紙部３２と、この第１の表紙部３１と第２の表紙部３２とを開閉可能に連結する連結部３３とから構成されている。
【００３６】
この第１の表紙部３１及び第２の表紙部３２は、パソコン本体１及びキーボード２の夫々の大きさより一回り大きい矩形をなす硬質のものである。連結部３３は第１の表紙部３１の一方の長辺縁全体と、第２の表紙部３２の一方の長辺縁全体とを連結する細長い軟質のものである。本実施の形態では、第１の表紙部３１と第２の表紙部３２と連結部３３とを一枚の皮革により一体に形成し、表紙部３１、３２に心材を内装して硬質としている。
【００３７】
第１の表紙部３１の内面部にはパソコン本体１が設けられている。本実施の形態では、図示しないが、第１の表紙部３１の内面部とパソコン本体１の下面部に、夫々ベルベットファスナが取り付けられている。
【００３８】
そして、パソコン本体１は第１の表紙部３１の内面部に載置され、パソコン本体１の下面部のベルベットファスナが第１の表紙部３１の内面部のベルベットファスナに重なって両者が固着している。これにより、第１の表紙部３１を開くと、この第１の表紙部３１に固着されたパソコン本体１も第１の表紙部３１とともに移動され、パソコン本体１の表示画面１１を有する上面部が上向きに位置するようになる。
【００３９】
第２の表紙部３２の内面部にはキーボード２が取り付けられている。本実施の形態では、第２の表紙部３２の表面部に、図２に示すような係合袋部３４が設けられている。この係合袋部３４は連結部３３に面する側部が開放されている。キーボード２の下面部には、図１（ｂ）に示すような係合片２３が設けられている。
【００４０】
キーボード２は、第２表紙部３２の内面部に載置され、係合片２３が係合袋部３４に挿脱可能に挿入係合されている。これにより第２の表紙部３２を開くと、この第２の表紙部３２に係合されたキーボード２も第２の表紙部３２とともに移動され、キーボード２のキー２１が設けられた上面部が上向きに位置するようになる。
【００４１】
また、係合袋部３４から係合片２３を取り外すことにより、図２に示すように、パソコンＡは、ブック型カバー３からキーボード２が取り外された状態となる。
【００４２】
第１の表紙部３１における外面部から連結部３３とは反対側の側面部にかけて、バンド３５が設けられている。バンド３５は、ブック型カバー３の閉じた状態にある第１の表紙部３１と第２の表紙部３２とを保持するものである。
【００４３】
バンド３５は皮革からなるもので、ブック型カバー３の第１の表紙部３１の外面部から第１の表紙部３１の先端縁（連結部３３に連結される側縁部と反対の側縁部）と第２の表紙部３２の先端縁（連結部３３に連結される側縁部と反対の側縁部）との間を跨いで第２の表紙部３２の外面部に至る長さを有している。
【００４４】
このバンド３５は、ブック型カバー３の連結部３３の長さ方向中央に配置され、一端部が第１の表紙部３１の外面部に当接されて取付けピン３７により取り付けられている。また他端部にはホック３８が取り付けられており、第２の表紙部３２の外面部に設けられたホック３９に対して押圧することにより、ホック３８をホック３９に係合するようになっている。
【００４５】
第１の表紙部３１と第２の表紙部３２との間で、連結部３３の内面部には、ペンホルダー４が取り付けられている。ペンホルダー４は、樹脂で形成されており、ブック型カバー３の上端から下端に亘って設けられている。
【００４６】
ペンホルダー４は、図１及び図２に示すように、その上端部および下端部に、所定の高さ寸法を有する凸部４１、４２が形成され、中央部にはペン５を保持するための複数の保持片４３が突出して形成されている。
【００４７】
ペンホルダー４の凸部４１、４２は、図１に示すような、パソコン本体１、キーボード２、およびペンホルダー４からなる状態で、ブック型カバー３の第１の表紙部３１と第２の表紙部３２とを連結部３３を介して閉じた場合に、パソコン本体１の下端部と、キーボード２の上端部との衝突を軽減させるとともに、更に信号線２２を保護するための保護パッドである。
【００４８】
そして、図２に示す状態にした後、ブック型カバー３の第１の表紙部３１と第２の表紙部３２とを連結部３３を介して閉じ、図３に示すように、バンド３５のホック３８を第１の表紙部３１のホック３９と係合させた状態とすることにより、携帯に適した状態へと使用形態を容易に変更することができる。
【００４９】
従って、図２に示すように、携帯に適したパソコン本体１のみを使用する状態においては、ユーザが第１乃至第４の操作ボタン１３ａ〜１３ｄに割り当てられた機能を実行する場合、ユーザはパソコン本体１の表示画面１１に隣接して設けられた第１乃至第４の操作ボタン１３ａ〜１３ｄの中の対応する操作ボタンを押下することにより、ユーザが所望する機能が実行される。
【００５０】
また、図１に示すように、パソコン本体１に対してキーボード２を接続させた状態においては、ユーザがキーボード２のキー操作中に第１乃至第４の操作ボタン１３ａ〜１３ｄに割り当てられた機能を実行する場合、ユーザはキー操作中のキーボード２から手を離してパソコン本体１の表示画面１１に隣接して設けられた第１乃至第４の操作ボタン１３ａ〜１３ｄの中の対応する操作ボタンを押下しなくとも、キー操作中のキーボード２に配列された第１乃至第４の操作ボタン１３ａ〜１３ｄに対応する第１乃至第４の特定キー２３ａ〜２３ｄを押下することにより、ユーザが所望する機能が実行される。
【００５１】
この結果、ユーザはキー操作中のキーボード２から手を離さずにパソコン本体１に設けられた操作ボタン１３の機能を使用することが可能となり、ユーザが所望する機能をユーザの煩雑な作業なしに容易にキー操作することができるという効果を奏する。
【００５２】
次に、図４はパソコン１のシステム構成を示すブロック図である。パソコン１には、図示するように、ＣＰＵ２０１、外部装置コントローラ２０２、主メモリ２０３、グラフィックスコントローラ２０４、タブレットコントローラ２０５、エンベデッドコントローラ／キーボードコントローラＩＣ（ＥＣ／ＫＢＣ）２１１、電源コントローラ２１３等が設けられている。
【００５３】
ＣＰＵ２０１は、本パソコン１の動作を制御するために設けられたもので、ハードディスクドライブ（ＨＤＤ）２０６から主メモリ２０３へロードされたオペレーティングシステムおよびアプリケーションプログラム／ユーティリティプログラムを実行する。外部装置コントローラ２０２には、上記したキーボード（ＫＢ）２やワイヤレスＬＡＮ（Ｗ−ＬＡＮ）２１４、メモリカードやＰＣカードのＩ／Ｏコントローラ２１５、２１６が接続されている。
【００５４】
グラフィックスコントローラ２０４は、パソコン１の表示手段としての液晶表示ディスプレイ（ＬＣＤ）１１ａを制御する。タブレットコントローラ２０５は、ＬＣＤ１１ａと一体に設けれたタブレット装置１１ｂを制御する。ＥＣ／ＫＢＣ２１１は、電源コントローラ２１３と協同して、ユーザによる電源スイッチ２１７の操作に応じて本パソコン１をパワーオン／オフする機能を有している。
【００５５】
次に、更に図５および図６を用いて第２の実施例を説明する。第２の実施例は、上記キーボード２に形成された特定キー群２３に対して、初期状態では機能は割りあてられておらず、ユーザの好みにより指示する機能を割り当てられる（カスタマイズできる）特定キー機能設定メニューが設けられている点で上述した実施例と異なっている。
【００５６】
図５は、上述するハード構成のもと、ユーティリティプログラムに基づいて実行するキーボード２にもうけられた特定キー群２３の機能設定メニューの処理動作を示すフローチャート図である。
【００５７】
まず、図５に示すように、ユーザによってキーボード２のキー２１（２３〜２６）が押下された結果、キーコードが出力され、信号線２２を介して外部装置コントローラ２０２へ入力される（ＳＴ１１）。
【００５８】
ＳＴ１１で入力されたキーコードが特定キー群２３の機能設定メニューを指示するコードであった場合には（ＳＴ１２）、ユーティリティプログラムは、表示画面１１に、例えば図６に示す「特定キー機能設定メニュー画面」を表示する（ＳＴ１４）。またＳＴ１２において、特定キー群２３の機能設定メニュー以外を指示するコードであった場合には、入力されたコードによって指示された処理を実行する（ＳＴ１３）。
【００５９】
図６に示す特定キー機能設定メニュー画面においては、各特定キー２３ａ〜２３ｄを示す「特定キー（１）〜（４）」５１〜５４が選択項目として列記されており、これに対応して予め設定された「第１の機能（輝度切替え機能）」「第２の機能（ソフトウェアキーボードのモード切替機能）」「第３の機能（ＯＳ切替え機能）」「第４の機能（ウィンドウ切替え機能）」から選択することができる。更に、初期設定に戻すための項目が設けられており、選択クリックすることにより、その時点で設定されていたユーザ設定内容をクリアするようになっている。
【００６０】
この特定キー機能設定メニュー画面へのユーザによる入力が行われると（ＳＴ１５）、ユーティリティプログラムは新たな特定キー機能設定情報を登録し、以降キーボード２の特定キー２３ａ〜２３ｄに対してユーザが設定した機能が割り振られ、当該特定キー２３ａ〜２３ｄが押下されると割り振られたコードを出力するようになる（ＳＴ１６）。
【００６１】
このように、本実施例では、キーボード上に機能が割り振られていない特定キーが複数、予め設けられており、機能設定メニューによってユーザが希望する位置の特定キーに対して、ユーザが希望する機能（パソコン本体１に設けられた複数の操作ボタン１３に対応した機能）を割り振る事が可能となる。
【００６２】
この結果、ユーザはキー操作中のキーボード２から手を離さず、かつユーザが操作しやすいキー位置においてパソコン本体１に設けられた操作ボタン１３の機能を使用することが可能となり、ユーザが所望する機能をユーザの煩雑な作業なしに容易にキー操作することができるという効果を奏する。
【００６３】
【発明の効果】
以上説明したように、本発明によれば、ユーザが所望する機能をユーザの煩雑な作業なしに容易にキー操作することができる。
【図面の簡単な説明】
【図１】本発明の一実施の形態に係るパソコンＡの外観を示す平面図および側面図。
【図２】キーボード２を取り外した使用形態におけるパソコンＡの外観を示す平面図および斜視図。
【図３】キーボードを取り外した使用形態におけるパソコン１を折りたたんだ状態の外観を示す平面図および斜視図。
【図４】パソコン１のシステム構成を示すブロック図。
【図５】キーボード２の特定キー群２３の機能設定を説明するためのフローチャート図。
【図６】キーボード２の特定キー群２３の機能設定メニュー画面を示す図。
【符号の説明】
Ａ    パソコン
１    パソコン本体
２    キーボード
３    ブック型カバー
４    ペンホルダー
５    ペン
１１    表示画面
１２    カーソルキー
１３、１３ａ、１３ｂ、１３ｃ、１３ｄ    操作ボタン
１４    スピーカー
２１    キー
２２    信号線
２３    特定キー群
２３ａ、２３ｂ、２３ｃ、２３ｄ    特定キー群
２４    ファンクションキー群
２５    英数字キー及び特殊記号キー
２６    テンキー及びカーソルキー
３１    第１の表紙部
３２    第２の表紙部
３３    連結部
３４    係合袋部
３５    バンド
３７    取付けピン
３８、３９    ホック
４１、４２    凸部
４３    保持片
４５    ポケット
【図１】
2004178242.tif 000003
【図２】
2004178242.tif 000004
【図３】
2004178242.tif 000005
【図４】
2004178242.tif 000006
【図５】
2004178242.tif 000007
【図６】
2004178242.tif 000008